(57)【要約】本発明は、電気信号と光信号とを相互に変換する光電変換素子１０３と、光電変換素子１０３と電気的に接続される光通信用ＬＳＩ１０２とを備える。また、光電変換素子１０３および光通信用ＬＳＩ１０２がフリップチップ実装される複数の電極２０１，２０２と、各電極２０１，２０２を電気的に接続する複数の配線層１０１ａ，１０１ｂ，１０１ｃとを有し、配線層１０１ａ，１０１ｂ，１０１ｃが上面、下面、内部にそれぞれ設けられた電気配線用基板１０１を備える。そして、電気配線用基板１０１の側面には、光電変換素子１０３が接合される電極２０１，２０２が設けられている。
2007088959.tif 000002
【特許請求の範囲】
【請求項１】
電気信号と光信号とを相互に変換する光電変換素子と、
前記光電変換素子と電気的に接続される光通信用集積回路と、
前記光電変換素子および前記光通信用集積回路がフリップチップ実装される複数の電極と、前記各電極を電気的に接続する複数の配線とを有し、該配線が上面、下面、内部にそれぞれ設けられた電気配線用基板とを備え、
前記電気配線用基板の側面には、前記光電変換素子が接合される前記電極が設けられていることを特徴とする光モジュール。
【請求項２】
前記電気配線用基板の前記配線がなす面は、前記側面の前記電極がなす面と直角をなしている請求の範囲１に記載の光モジュール。
【請求項３】
前記側面の前記電極は、前記電気配線用基板に形成されたスルーホールが、前記電気配線用基板の厚み方向に切断された部分からなる請求の範囲１に記載の光モジュール。
【請求項４】
前記光通信用集積回路は、前記電気配線用基板の前記上面に設けられた前記電極に接合されている請求の範囲１ないし３のいずれか１項に記載の光モジュール。
【請求項５】
前記電極および前記配線が形成された他の電気配線用基板が、前記電気配線用基板の前記上面と前記側面に跨って設けられることで、前記側面に前記電極が形成されている請求の範囲１に記載の光モジュール。
【請求項６】
前記電気配線用基板の前記側面には、前記光電変換素子に接続される光配線と前記光電変換素子とを位置決めするための係合ピンが設けられている請求の範囲１に記載の光モジュール。
【請求項７】
前記電気配線用基板には、前記側面と前記上面との角部に、前記電気配線用基板に対して前記光電変換素子の発光部または受光部を位置決めするための基準部が設けられている請求の範囲１に記載の光モジュール。
【請求項８】
前記電気配線用基板に実装された前記光通信用集積回路には、放熱性材料を介して金属製の放熱部材が接合されている請求の範囲１に記載の光モジュール。
【発明の詳細な説明】
【技術分野】
【０００１】
本発明は、電気信号と光信号とを相互に変換するための光モジュールに関する。
【背景技術】
【０００２】
光インターコネクションでは、大規模集積回路（ＬＳＩ）から出力された電気信号を光信号に変換して送出し、光信号として伝送した後、この光信号を電気信号に変換して、他のＬＳＩへ電気信号を伝達させている。近年では、ＬＳＩの扱う信号速度がより一層高速化し、また信号のチャネル数も１０００以上の入出力を持つことが多々ある。これより、光インターコネクションで使用する光モジュールは、さらなる高速化、高密度実装化を図ることが要求されている。【０００３】
図１に、代表的な従来の光モジュールの模式図を示す。図１に示すように、従来の光モジュールは、電気信号と光信号とを相互に変換する光電変換素子５０３と、光電変換素子５０３と電気的に接続される光通信用ＬＳＩ５０２と、その他の電子部品５０４と、これら光電変換素子５０３、光通信用ＬＳＩ５０２、その他の電子部品５０４が実装される電気配線用基板５０１とを備えている。【０００４】
電気配線用基板５０１の上面には、配線パターンをなす配線層が設けられており、この配線層に光通信用ＬＳＩ５０２、光電変換素子５０３、およびその他の電子部品５０４がそれぞれ実装されている。各々の構成部品は、ワイヤーボンディング５１０によって、電気配線用基板５０１の上面の配線層に設けられた電極（不図示）と電気的に接続されており、また構成部品間の信号インタフェースとしてもワイヤーボンディング５１０が用いられている。光信号の入出力は、光電変換素子５０３の上部に実装された光配線５０５によって行われる。【０００５】
このようなワイヤーボンディング実装の代わりに、フリップチップ構造の光電変換素子がバンプを介して電気配線用基板に接合される構成が特開２００２−２１７２３４号公報に開示されている。【０００６】
図２に、図１におけるワイヤーボンディング実装を、フリップチップ実装（ＦＣＡ）に変更した従来の光モジュールの模式図を示す。この光モジュールでは、フリップチップ実装を採用することで、配線による浮遊容量やインダクタンスを減らすことが可能であるため、より一層高速な信号を扱う場合に適している。【０００７】
図２に示すように、電気配線用基板５０１に実装されるＬＳＩ５０２や光電変換素子５０３は、バンプ６０７を介して電気配線用基板５０１の電極と電気的に接続され、構成部品間の信号が、電気配線用基板５０１の上面、下面、内部にそれぞれ設けられた上面配線層、下面配線層、内部配線層によって電気的に接続されている。【０００８】
このような構成において光信号を入出力する他の例としては、電気配線用基板に形成された貫通穴を通して光信号の受光、発光を行う光電変換素子が電気配線用基板の一方の面に設けられ、他方の面側に配置された光配線と接続する構成や、ＬＳＩが接合される電極が設けられた面とは反対側の面に発光、受光を行う光電変換素子が配置されて光配線と接続を行う構成等が採られている。
【発明の開示】
【０００９】
上述したように、光インターコネクションのための従来の光モジュールでは、光通信用ＬＳＩや光電変換素子、その他の電子部品が、電気配線用基板の上面配線層にそれぞれ実装され、配線層が電気配線用基板の上下面と内部にのみ設けられていた。
【００１０】
図１に示した従来の光モジュールでは、ワイヤーボンディング実装を用いているので、電極を電気配線用基板の上面かつ光通信用ＬＳＩ等の電子部品の外周よりも外側に配置する必要がある。このため、電気配線用基板の面積を広くする必要があった。また、構成部品の実装面が電気配線用基板の上面に制限されるのに伴って、必然的に電気配線用基板の面積が、各構成部品が占める面積以上となり、高密度実装には適していない。また、ワイヤーのインダクタンス成分等によって、インピーダンスの不整合や電気信号の減衰が生じ、信号の高速な伝送が困難である。
【００１１】
図２に示した従来の光モジュールでは、構成部品と電極との電気的な接続にワイヤーを用いていないため、電気配線用基板上の電極を、構成部品の直下に配置することが可能になり、電気配線用基板の面積を、図１に示した従来の光モジュールに比較して小さくすることができる。
【００１２】
しかしながら、この従来の光モジュールは、図１に示した従来の光モジュールと同様に、構成部品の実装面が電気配線用基板の上面に制限されているので、より一層の高密度な実装には適していない。また、この従来の光モジュールは、電極との電気的な接続にワイヤーを配線として用いていないので、インダクタンス成分等による伝送帯域の劣化を防ぐことが可能となる。だが一方、必然的に構成部品間を電気的に接続する配線層が、電気配線用基板の上面、下面、内部にそれぞれ設けられることとなり、各配線層間での浮遊容量によって帯域制限が生じる不都合がある。
【００１３】
さらに、ＬＳＩを実装するための電極は、配線層の配線の幅よりも大きいため、この電極とその他の導体との間で寄生容量が生じる。特に、電気配線用基板の内部配線層にグランド層が設けられている場合には、これらの層間の浮遊容量がさらに大きな値になる。また、ＬＳＩと光電変換素子との間の配線の長さが比較的長く、浮遊容量が大きい場合には、さらに著しい帯域の劣化が生じる。高速化を達成するためには、光電変換素子に付加される浮遊容量を極限まで小さく抑える必要がある。
【００１４】
上述のように従来の光モジュールの実装構造では、光インターコネクションの高速化を実現する上で、課題となる点が多くあった。
【００１５】
そこで、本発明は、高密度実装を可能にし、光モジュールの小型化を図り、信号伝送の高速化を図ることができる光モジュールを提供することを目的とする。
【００１６】
上述した目的を達成するため、本発明に係る光モジュールは、電気信号と光信号とを相互に変換する光電変換素子と、光電変換素子と電気的に接続される光通信用集積回路とを備える。また、この光モジュールは、光電変換素子および光通信用集積回路がフリップチップ実装される複数の電極と、これら各電極を電気的に接続する複数の配線とを有し、この配線が上面、下面、内部にそれぞれ設けられた電気配線用基板を備える。そして、電気配線用基板の側面には、光電変換素子が接合される電極が設けられている。
【００１７】
以上のように構成された本発明の光モジュールによれば、光電変換素子が電気配線用基板の側面の電極にフリップチップ実装されることによって、電気配線用基板の面積を最小限に抑え、各種電子部品を高密度に実装することが可能になる。これにより、光モジュールの小型化を図ることができる。
【００１８】
また、この光モジュールによれば、光電変換素子が電気配線用基板の側面に実装されることによって、信号伝達を行う光モジュール間の配線の長さを短縮することができる。このため、配線の損失で生じる減衰や電気配線用基板の各配線間で生じる浮遊容量が小さくなり、インピーダンスの不整合や電気信号の減衰等による帯域劣化も、最小限に抑えることが可能になる。
【００１９】
また、本発明に係る光モジュールが備える側面の電極およびこの側面の配線がなす面は、電気配線用基板の配線や内層と直角であることが好ましい。これによって、側面の電極やこの側面の配線と、電気配線用基板の各配線や内層との間に生じる寄生容量が最小限に抑えられ、帯域劣化を防ぐことができる。したがって、高速な信号伝送が容易になり、光インターコネクションの高速化を実現することが可能になる。
【００２０】
また、本発明に係る光モジュールが備える電気配線用基板の側面には、光電変換素子に接続される光配線と光電変換素子とを位置決めするための係合ピンが設けられてもよい。これによって、光配線と光電変換素子とが高精度に位置決めされ、光結合損失が抑えられる。
【００２１】
また、本発明に係る光モジュールが備える電気配線用基板には、側面と上面との角部に、電気配線用基板に対して光電変換素子の発光部または受光部を位置決めするための基準部が設けられてもよい。これによって、電気配線用基板に対して光電変換素子が高精度に位置決めされ、光配線と光電変換素子とが高精度に光結合される。
【００２２】
上述したように、本発明によれば、電気配線用基板の面積を最小限に抑えて電気配線用基板に光電変換素子、集積回路を高密度に実装することが可能となり、光モジュールの小型化を図ることができる。したがって、本発明によれば、電気配線用基板の配線長の短縮による寄生容量の低減や損失による信号の減衰を最小限に抑えることができ、また側面への実装により、この電極や配線に生じる寄生容量を低減することができる。これにより帯域劣化が抑えられ、信号伝送の高速化が容易となり、光インターコネクションの高速化を実現することができる。
【図面の簡単な説明】
【００２３】
【図１】従来の光モジュールの一例として、ワイヤーボンディング実装を配線に用いた構造を示す図である。
【図２】従来の光モジュールの他の例として、バンプを介したフリップチップ実装を配線に用いた構造を示す図である。
【図３】第１の実施形態の光モジュールを示す模式図である。
【図４】第１の実施形態の光モジュールが備える電気配線用基板の配線、電極を示す斜視図である。
【図５】第２の実施形態の光モジュールを示す模式図である。
【図６】第３の実施形態の光モジュールを示す模式図である。
【発明を実施するための最良の形態】
【００２４】
以下、本発明の具体的な実施形態について図面を参照して説明する。【００２５】
図３に示すように、実施形態の光モジュールは、電気信号と光信号とを相互に変換する光電変換素子１０３と、光電変換素子１０３と電気的に接続される光通信用大規模集積回路（ＬＳＩ）１０２と、その他の電子部品１０４と、これら光電変換素子１０３、ＬＳＩ１０２、その他の電子部品１０４がフリップチップ実装される電気配線用基板１０１とを備えている。【００２６】
図４に示すように、電気配線用基板１０１は、多層配線基板であって、セラミックやその他の材料からなる基材の両面すなわち上面および下面に、所望の配線パターンをなす上面配線層１０１ａおよび下面配線層１０１ｂがそれぞれ形成されるとともに、内部に、上面配線層１０１ａおよび下面配線層１０１ｂと平行に、所望の配線パターンをなす複数の内部配線層１０１ｃが設けられている。電気配線用基板１０１の上面配線層１０１ａの配線には、複数の電極２０１が設けられており、これら電極２０１に、ＬＳＩ１０２およびその他の電子部品１０４がバンプ１０７を介してフリップチップ実装されている。【００２７】
また、電気配線用基板１０１には、厚み方向に貫通された、いわゆるスルーホールが設けられており、このスルーホールの軸線に沿って電気配線用基板１０１を厚み方向に切断することで、電気配線用基板１０１の側面に、半円筒状のスルーホールの断面が形成されている。そして、電気配線用基板１０１の側面には、スルーホールの断面、すなわち貫通穴の内面に設けられた導通膜およびこの断面を電極２０２として利用し、この電極２０２にバンプ１０７を介して光電変換素子１０３が実装されている。【００２８】
また、電気配線用基板１０１には、上面配線層１０１ａ、内部配線層１０１ｃ、下面配線層１０１ｂの各配線を電気的に接続する他のスルーホールが設けられている。【００２９】
電気配線用基板１０１の側面に実装された光電変換素子１０３には、直線状に配置された光配線１０５が光学的に接続されている。【００３０】
また、電気配線用基板１０１に実装されたＬＳＩ１０２の上面には、例えばシリコーンオイルコンパウンド等の放熱性材料１０８を介して、複数の放熱フィンを有する金属製の放熱部材１０６が接合されている。【００３１】
図４に示すように、電気配線用基板１０１の上面配線層１０１ａおよび内部配線層１０１ｃには、側面の電極２０２に電気的に接続された配線がそれぞれ設けられている。したがって、側面の電極２０２にバンプ１０７を介して端子が接合された光電変換素子１０３は、上面配線層１０１ａの電極２０１にバンプ１０７を介して接合されたＬＳＩ１０２およびその他の電子部品１０４と配線を介して電気的に接続されている。【００３２】
このように側面に設けられる電極２０２の構成としては、スルーホールの断面が用いられる構成に限定されるものではなく、一般的な金属箔（銅箔）が側面に貼り付けられた構成や、メッキ等によって側面に導電膜が蒸着された構成が電極として用いられてもよい。【００３３】
なお、電気配線用基板の側面に電極を形成する構成としては、図示しないが、例えば、厚さが比較的薄い例えばフレキシブル配線基板等の電気配線用基板にあらかじめ電極および多層の配線層を形成し、この比較的薄い電気配線用基板を、例えばガラスや有機材料からなる比較的厚い電気配線用基板の上面から側面にわたって巻き付けるように貼り付ける構成でも、上述のように電気配線用基板の側面に電極を形成することができる。【００３４】
一般に、電気配線用基板の内部配線層にはグランド層が設けられる場合が多く、配線とこのグランド層との間に生じる浮遊容量によって、配線を通る信号の帯域が劣化する不都合がある。しかしながら、本実施形態の光モジュールでは、図３に示したように、電気配線用基板の側面に設けられた電極がなす面と、電気配線用基板の内部配線層（グランド層面）がなす面とが互いに直角をなす位置関係になっているので、相互間で生じる浮遊容量が最小となり、帯域の劣化を最小限に抑えることが可能になる。【００３５】
特に、光電変換素子１０３が受光素子である場合には、ＬＳＩ１０２との浮遊容量が帯域制限に大きな影響を及ぼす。例えば帯域を１０Ｇｂｐｓ以上とした場合には、光電変換素子（受光素子）１０３の配線や電極に付加される浮遊容量を数１０ｆＦ以下にしなければ理論的に特性を確保することができない。このためには、配線長を短縮し、電極および配線に発生する浮遊容量を最小限にすることが重要である。【００３６】
上述したように、本実施形態の光モジュールによれば、電気配線用基板１０１の側面に電極２０２が設けられ、側面に光電変換素子１０３がフリップチップ実装されることによって、電気配線用基板１０１の面積を最小限に抑えて電気配線用基板１０１に光電変換素子１０３、ＬＳＩ１０２を高密度に実装し、光モジュールの小型化を図ることができる。【００３７】
また、この光モジュールによれば、ＬＳＩ１０２の実装位置を光電変換素子１０３の実装位置に隣接させて配置することが可能となり、ＬＳＩ１０２と光電変換素子１０３との間の配線の長さも短縮することができる。したがって、本実施形態の光モジュールによれば、配線の損失による帯域劣化が抑えられ、信号伝送の高速化が容易になるので、光インターコネクションの高速化を実現することができる。【００３８】
また、本実施形態の光モジュールによれば、必要に応じて、その他の電子部品１０４の一部を、電気配線用基板１０１の内部に配置する、または側面、上下面に実装することによって、より一層の高密度化を達成することが可能になる。【００３９】
（第２の実施形態）
つぎに、第２の実施形態について図面を参照して説明する。なお、第２の実施形態において、便宜上、第１の実施形態と同一部材には同一符合を付して説明を省略する。【００４０】
図５に示すように、第２の実施形態の光モジュールは、第１の実施形態の構成に加えて、電気配線用基板１０１の側面に、光配線１０５と光電変換素子１０３との接続位置を位置決めするための係合ピン３０８が設けられている。また、光配線１０５側には、光モジュール側の係合ピン３０８が係合する係合穴を有する係合コネクタ３０９が設けられている。【００４１】
本実施形態の光モジュールによれば、電気配線用基板１０１の側面に係合ピン３０８が設けられることによって、光配線１０５と光電変換素子１０３との接続位置の精度が向上されるので、光結合の位置ずれによる光信号の減衰を更に抑えることができる。また、光モジュールは、電気配線用基板１０１の側面に係合ピン３０８が設けられることで、光配線１０５と光電変換素子１０３とが係合コネクタ３０９による着脱自在な構造にすることが可能となる。【００４２】
（第３の実施形態）
最後に、第３の実施形態について図面を参照して説明する。なお、第３の実施形態において、便宜上、第１の実施形態と同一部材には同一符合を付して説明を省略する。【００４３】
図６に示すように、第３の実施形態の光モジュールは、第２の実施形態における係合ピン３０６の代わりに、電気配線用基板１０１の側面と上面との角部に、電気配線用基板１０１に対して光電変換素子１０３の発光部または受光部を位置決めするための基準部４０２が形成されている。この基準部４０２は、基準上面４０２ａと基準側面４０２ｂとを有しており、電気配線用基板１０１の基準部４０２の各基準面４０２ａ，４０２ｂをそれぞれ位置決め基準として、電気配線用基板１０１に対する光電変換素子１０３の実装位置が高精度に位置決めされている。また、光配線１０５側には、光モジュール側の基準部４０２に係合する係合穴を有する係合コネクタ４０９が設けられている。なお、基準部４０２は、電気配線用基板１０１の側面と下面との角部に形成されてもよい。【００４４】
本実施形態の光モジュールは、電気配線用基板１０１の基準部４０２を位置決め基準として光電変換素子１０３が位置決めされて実装されることによって、電気配線用基板１０１と光電変換素子１０３の発光、受光点との相対位置が常に一定に保たれる。電気配線用基板１０１と光配線１０５、係合コネクタ４０９との係合の位置関係が常に一定であれば、相対的に光電変換素子１０３と光配線１０５との係合状態による光信号の減衰を更に抑えることができる。【００４５】
なお、上述した各実施形態の光モジュールでは、光配線１０５が真っ直ぐ直線状に配線されているが、これら光配線１０５は、例えばプリズム等の屈折手段（不図示）を用いて光信号の光路を曲げて他の方向に引き出されてもよい。また、放熱部材１０６は、ＬＳＩ１０２等からの発熱量が適切であれば、省かれてもよい。さらに、電気配線用基板１０１に実装されるその他の電子部品１０４は、電気配線用基板の上面配線層に実装される構成に限定されるものではなく、電気配線用基板の下面配線層に実装されたり、電気配線用基板の内部に埋め込まれて実装されたりする構成が採られてもよいことは勿論である。【００４６】
また、本発明に係る光モジュールは、例えば光ファイバを介して情報の送受信を行う各種の光通信装置に用いられて好適である。
【図１】
2007088959.tif 000003
【図２】
2007088959.tif 000004
【図３】
2007088959.tif 000005
【図４】
2007088959.tif 000006
【図５】
2007088959.tif 000007
【図６】
2007088959.tif 000008
【国際調査報告】
2007088959.tif 000009
2007088959.tif 000010
2007088959.tif 000011
2007088959.tif 000012